(57)【要約】【課題】本発明は、現在使用している部品の推奨部品を簡単に検索できるデータ検索装置を提供することを目的とする。【解決手段】複数の項目から構成されるデータを記憶するデータ記憶部と、前記データ記憶部に記憶されたデータを特定するための検索条件を受け付ける検索条件受付部と、比較項目情報を記憶する比較項目情報記憶部と、前記検索条件受付部で受け付けた検索条件を用いて、前記データ記憶部からデータを検索する第１のデータ検索部と、前記第１のデータ検索部によって検索されたデータの項目のうち、前記比較項目情報記憶部で記憶している比較項目情報に該当する項目を用いて、前記データ記憶部からデータを検索する第２のデータ検索部と、前記第２のデータ検索部の検索結果を用いて、検索結果データを作成する検索結果作成部と、を備えたデータ検索装置。【選択図】図１
2005174312.tif 000002
【特許請求の範囲】
【請求項１】
物品の仕様に関連する項目を含む複数の項目から構成されたデータを記憶するデータ記憶
部と、
前記データ記憶部に記憶されたデータを特定するための検索条件を受け付ける検索条件受
付部と、
前記データ記憶部に記憶されたデータを構成する複数の項目のうち少なくとも１つを含む
比較項目情報を記憶する比較項目情報記憶部と、
前記検索条件受付部で受け付けた検索条件を用いて、前記データ記憶部から検索条件に合
致するデータを検索する第１のデータ検索部と、
前記第１のデータ検索部によって検索されたデータの項目のうち、前記比較項目情報記憶
部で記憶している比較項目情報に該当する項目を用いて、前記データ記憶部からデータを
検索する第２のデータ検索部と、
前記第２のデータ検索部の検索結果を用いて、検索結果データを作成する検索結果作成部
と、
を備えたデータ検索装置。
【請求項２】
更に、前記比較項目情報を受け付けて前記比較項目情報記憶に記憶された比較項目情報を
更新する比較項目情報更新部を備えた
請求項１に記載のデータ検索装置。
【請求項３】
更に、前記比較項目情報のうち有効な比較項目情報を受け付ける有効比較項目情報受付部
を備え、
前記有効比較項目情報を用いて前記データ記憶部からデータを検索する第２のデータ検索
部とを備えた、
請求項１または２のいずれかに記載のデータ検索装置。
【請求項４】
物品の仕様に関連する項目を含む複数の項目から構成されたデータを記憶するデータ記憶
ステップと、
前記データ記憶ステップに記憶されたデータを特定するための検索条件を受け付ける検索
条件受付ステップと、
前記データ記憶ステップで記憶されたデータを構成する複数の項目のうち少なくとも１つ
を含む比較項目情報を記憶する比較項目情報記憶ステップと、
前記検索条件受付ステップで受け付けた検索条件を用いて、前記データ記憶ステップで記
憶されたデータから検索条件に合致するデータを検索する第１のデータ検索ステップと、
前記第１のデータ検索ステップによって検索されたデータの項目のうち、前記比較項目情
報記憶ステップで記憶された比較項目情報に該当する項目を用いて、前記データ記憶ステ
ップからデータを検索する第２のデータ検索ステップと、
前記第２のデータ検索ステップの検索結果を用いて、検索結果データを作成する検索結果
作成ステップと、
を備えたデータ検索方法。
【請求項５】
データ検索装置に、
物品の仕様に関連する項目を含む複数の項目から構成されたデータを記憶するデータ記憶
機能と、
前記データ記憶機能に記憶されたデータを特定するための検索条件を受け付ける検索条件
受付機能と、
前記データ記憶機能に記憶されたデータを構成する複数の項目のうち少なくとも１つを含
む比較項目情報を記憶する比較項目情報記憶機能と、
前記検索条件受付機能で受け付けた検索条件を用いて、前記データ記憶機能から検索条件
に合致するデータを検索する第１のデータ検索機能と、
前記第１のデータ検索機能によって検索されたデータの項目のうち、前記比較項目情報記
憶機能で記憶している比較項目情報に該当する項目を用いて、前記データ記憶機能からデ
ータを検索する第２のデータ検索機能と、
前記第２のデータ検索機能の検索結果を用いて、検索結果データを作成する検索結果作成
機能と、
をコンピュータに実現させるためのプログラム。
【発明の詳細な説明】
【技術分野】
【０００１】
本発明は、代替可能な商品を検索するデータ検索装置に関するものである。
【背景技術】
【０００２】
近年、従来の印刷された商品カタログに代わるものとして、インターネット等を介して
商品情報を電子データで提供する電子カタログ等と呼ばれるしくみが広く普及している。
【０００３】
電子カタログ等に格納されている製品情報を検索することができるようなデータ検索装
置も提供されており、ユーザはそれを用いて、自分の求める製品情報の参照や検索を行う
ことができる。
【０００４】
また、ユーザが求める製品の在庫がなかったとき等の対応として、代替品検索機能を備
えたしくみもあり、例えば下記の特許文献１が挙げられる。
【特許文献１】特開２００２−１１７２６０号公報
【発明の開示】
【発明が解決しようとする課題】
【０００５】
従来のデータ検索装置では、代替品検索機能を備えてはいたが、どのような商品が代替
品として利用可能であるかを判断するのに手間がかかっていた。
【０００６】
本発明は上記課題を解決するために、より好ましい推奨品を簡単に検索できるデータ検
索装置を提供することを目的とする。
【課題を解決するための手段】
【０００７】
本発明は、物品の仕様に関連する項目を含む複数の項目から構成されたデータを記憶す
るデータ記憶部と、前記データ記憶部に記憶されたデータを特定するための検索条件を受
け付ける検索条件受付部と、前記データ記憶部に記憶されたデータを構成する複数の項目
のうち少なくとも１つを比較項目として受け付ける比較項目受付部と、前記検索条件受付
部で受け付けた検索条件を用いて、前記データ記憶部からデータを検索する第１のデータ
検索部と、前記第１のデータ検索部によって検索されたデータの項目のうち、前記比較項
目受付部で受け付けた比較項目に該当する項目の値を用いて、前記データ記憶部から別の
データを検索する第２のデータ検索部と、前記第２のデータ検索部の検索結果を用いて、
検索結果データを作成する検索結果作成部と、を備えたデータ検索装置である。
【発明の効果】
【０００８】
本発明のデータ検索装置によれば、利用者は、現在使用している製品を特定する情報を
入力すれば、より好ましい推奨品を容易に検索できるようになる、という効果がある。
【発明を実施するための最良の形態】
【０００９】
本発明の実施の形態について、図面を用いて説明する。
（実施の形態１）
図１は、本発明の一実施の形態に係るデータ検索装置の機能ブロック図である。各部の
処理等については後述する。
【００１０】
図２は、本発明の一実施の形態に係るデータ検索装置のハードウェア構成図である。
【００１１】
図中、複数のユーザ端末２０１、２０２、及び管理者端末２０９は、ネットワークを介
してサーバ１００に接続されている。複数のユーザ端末２０１、２０２、及び管理者端末
２０９は、サーバ１００に対する操作を行うことができるコンピュータである。
【００１２】
サーバ１００は、ネットワークを介して、例えばユーザ端末２０１からの検索条件を受
け付け、その検索条件に基づいた検索結果を提供するサーバである。サーバ１００は具体
的には、マイクロプロセッサ、メモリ、ハードディスク、ＯＳ（オペレーションシステム）、
ディスプレイ、キーボード、マウス、ネットワーク接続のためのインターフェース、など
から構成されている。
【００１３】
メモリまたはハードディスクにはアプリケーションプログラムが記憶されている。サー
バ１００において、アプリケーションプログラムに従って、マイクロプロセッサが動作す
ることによってデータ検索装置としての機能を実現する。
【００１４】
図１に示すように、サーバ１００は、比較項目情報更新部１０、比較項目ＤＢ（データ
ベース）１１、検索条件受付部２０、現行部品検索部（第１のデータ検索部）３０、現行
部品ＤＢ（データベース）３１、推奨部品検索部（第２のデータ検索部）４０、推奨部品
ＤＢ（データベース）４１、検索結果作成部５０とを備える。
【００１５】
現行部品ＤＢ３１は、物品の仕様に関連する項目を含む複数の項目から構成された複数
のデータを記憶するデータ記憶部であり、現在使用している部品（現行部品）の部品情報
データが格納されている。本発明の一実施の形態では、現行部品ＤＢ３１は、他社の部品
が格納されている。
【００１６】
推奨部品ＤＢ４１は、物品の仕様に関連する項目を含む複数の項目から構成された複数
のデータを記憶するデータ記憶部であり、現在使用している部品と特性が同等である推奨
品の部品情報データが格納されている。本発明の一実施の形態では、推奨部品ＤＢ４１に
は自社の部品が格納されており、現在使用している部品である他社部品に対する推奨部品
として、自社の部品から該当部品を検索できる。
【００１７】
比較項目ＤＢ１１は、前記データ記憶部に記憶された部品情報データを構成する複数の
項目のうち少なくともひとつを含む比較項目情報を記憶する比較項目情報記憶部である。
【００１８】
比較項目情報更新部１０では、あらかじめ管理者端末２０９から受け付けた比較項目情
報を比較項目ＤＢ１１に格納しておく。比較項目情報とは、推奨部品検索部４０における
検索処理に用いる情報である。
【００１９】
検索条件受付部２０は、ユーザ端末２０１から送信される検索条件を受け付ける。検索
条件は、ある現行部品を特定する情報を含むものである。
【００２０】
現行部品検索部３０では、検索条件受付部２０で受け付けた検索条件を用いて、現行部
品ＤＢ３１から、検索条件に合致するデータを検索し、検索結果を取得する。
【００２１】
次に推奨部品検索部４０では、現行部品検索部３０の検索結果及び比較項目ＤＢ１１に
格納されている比較項目情報を用いて、推奨部品ＤＢ４１から条件に合致するデータを検
索し、検索結果を取得する。
【００２２】
検索結果作成部５０では現行部品検索部３０及び推奨部品検索部４０の検索結果を用い
て、検索結果表示用のデータを作成する。
【００２３】
次に、以上のように構成された本発明の一実施の形態のデータ検索装置における具体的
な動作を、図３に従って説明する。図３は、本発明の一実施の形態に係るデータ検索装置
の処理を示すフローチャートである。
【００２４】
図７は、本発明の一実施の形態に係る検索条件指定画面の一例を示す図である。本発明
の一実施の形態では、検索条件指定画面はユーザ端末２０１に表示されている。
【００２５】
まず、利用者は、現在使用している現行部品を特定するための検索条件を指定する。例
えば、図７に示すような検索条件指定画面で、項目欄７０１に表示されている項目のいず
れかひとつもしくは複数の項目それぞれに対して、その項目に対する検索条件を条件欄７
０２で指定する。
【００２６】
図７では「企業名」という項目に対して「Ａ社」を、また「品番」という項目に対して
「ＡＡ＊」を指定している。これは、「品番の上２桁がＡＡであるＡ社製品」といった検索
条件が入力されたことを表している（図３のステップＳ１１０）。
尚、ここで入力される検索条件は、現行部品を絞り込めるものであればよく、図７に表
示されている検索条件以外にも、「価格」、「在庫数量」等を使用できるように構成してもよ
い。
利用者が、検索条件を指定した後、検索ボタン７０３をクリックすると、指定した検索
条件がユーザ端末２０１からサーバ１００に送信される。
【００２７】
サーバ１００では、ユーザ端末２０１から送信された検索条件を検索条件受付部２０で
受け付ける（図３のステップＳ１２０）。
【００２８】
続いて、現行部品検索部３０では、現行部品ＤＢ３１から、検索条件受付部２０で受け
付けた検索条件に合致するデータを検索する（図３のステップＳ１３０）。
【００２９】
図４は、本発明の一実施の形態に係る現行部品ＤＢ３１のデータ構成の一例を示す図で
ある。「企業コード」、「品番」、「定格電圧」、「静電容量」、「本体直径」、「本体長さ」、「耐
久性」等の、部品に関する様々な項目から構成された複数の部品情報データが格納されて
いる。
【００３０】
企業コード「０００１２３４」は「Ａ社」をあらわすものとする。
【００３１】
図４の現行部品ＤＢ３１の中では、検索条件で指定された「品番の上２桁がＡＡである
Ａ社製品」という条件に合致するレコードは、品番ＡＡ１２、ＡＡ１３、ＡＡ２５の３件
である。現行部品検索部３０では前述の３レコードを検索結果として取得する。
【００３２】
現行部品検索部３０で１件以上の検索結果が得られた場合は（図３のステップＳ１４０
のＹＥＳ）、次に、推奨部品検索部４０で、その検索結果に対応する推奨部品の検索を行う。
【００３３】
推奨部品検索部４０では、現行部品検索部３０の検索結果及び比較項目ＤＢ１１に格納
された比較項目情報を用いて、推奨部品ＤＢ４１から条件に合致するデータを検索し、検
索結果を取得する（図３のステップＳ１５０）。
【００３４】
比較項目ＤＢ１１に格納されている比較項目情報は、現行部品検索部３０での検索結果
（以降、元部品と呼ぶ）に基づいて推奨部品を検索する際に用いられる検索条件であり、
元部品の各項目と推奨部品の対応する項目がどういう関係にあるときに推奨品として提示
するのか、を定義するものである。
【００３５】
図５は、本発明の一実施の形態に係る比較項目ＤＢ１１のデータ構成の一例を示す図で
ある。
【００３６】
尚、本発明の一実施の形態においては、比較項目情報は、あらかじめ管理者端末２０９
からの入力を比較項目情報更新部１０で受け付け、比較項目ＤＢ１１に格納されている。
【００３７】
比較項目情報は、図５では、各比較項目とそれに対する比較条件で構成されている。
【００３８】
例えば、現行部品検索部３０の検索結果３件のうち、最初の１件である品番ＡＡ１２に
ついては、「定格電圧」等５つの比較項目に対して「＝」や「＞＝」等という比較条件が設
定されており、これは、推奨部品検索部４０において、現行部品検索部３０で元部品とし
て検索された品番ＡＡ１２の推奨部品を検索する際は、これらの５つの比較項目及び比較
条件を用いる、ということを定義している。
【００３９】
つまり、品番ＡＡ１２の推奨部品を検索する際は、推奨部品ＤＢ４１から、品番ＡＡ１
２と「定格電圧」が「＝（等しい）」、かつ「静電容量」が「＝（等しい）」、かつ「本体直
径」が「＝（等しい）」、かつ「本体長さ」は「＞＝（等しい、もしくは大きい）」、かつ「耐
久性」は「＞＝（等しい、もしくは大きい）」という条件を全部満たす部品を抽出する、と
いうことを定義している。
【００４０】
これは、必ずしも全ての特性値が等しくなくても代替品として使用可能な部品もあり、
そのような事情を勘案した上で、管理者が推奨品を特定する際に用いる比較項目及び比較
条件を定義することによって、より好ましい推奨品の検索を可能とするものである。
【００４１】
尚、図５では、各品番毎に比較項目情報が設定されているが、品番を何らかのカテゴリ
でグルーピングして、そのカテゴリ毎に比較項目情報を設定するようにしてもよい。
【００４２】
図６は、本発明の一実施の形態に係る推奨部品ＤＢ４１のデータ構成の一例を示す図で
ある。「品番」、「定格電圧」、「静電容量」、「本体直径」、「本体長さ」、「耐久性」等の、部品
に関する様々な項目から構成された複数の部品情報データが格納されている。
【００４３】
尚、本発明の一実施の形態においては、現行部品ＤＢ３１を複数の他社部品のデータベ
ースとし、推奨部品ＤＢ４１を自社部品のデータベースとして、現在使用されている他社
部品に対して置き換え可能な自社部品を検索できるしくみにしているが、現行部品ＤＢ３
１と推奨部品４１を物理的に１つのデータベースで構成し、現行部品であるか推奨部品で
あるかを区分で管理する項目を設けて、その区分を用いて現行部品であるか推奨部品を区
別しながら検索するようにしてもよい。
【００４４】
あるいは、現行部品と推奨部品という区別をせずに、現行部品を含む全部品情報から推
奨部品を検索するようにしてもよい。
【００４５】
図６の推奨部品ＤＢ４１の中では、例えば、品番ＡＡ１２に対しては、品番ａａａａ、
ｂｂｂｂが推奨部品としての条件に合致する。つまり、元部品である品番ＡＡ１２に対し
て、比較項目ＤＢ１１で定義されている比較項目情報すなわち「定格電圧」が「等しい」、
かつ「静電容量」が「等しい」、かつ「本体直径」が「等しい」、かつ「本体長さ」は「等
しい、もしくは大きい」、かつ「耐久性」は「等しい、もしくは大きい」という条件を全部
満たす部品は前記品番ａａａａ、ｂｂｂｂの２つである。
【００４６】
また、推奨部品検索部４０では、現行部品検索部３０の検索結果である３件のうち残り
の２件についても同様に比較項目ＤＢ１１に格納された比較項目情報を用いて、推奨部品
ＤＢ４１から条件に合致するデータを検索し、検索結果を取得する。
【００４７】
検索結果作成部５０では現行部品検索部３０及び推奨部品検索部４０の検索結果から、
検索結果データを作成する（図３のステップＳ１６０）。
【００４８】
検索結果データはユーザ端末２０１に送信される。
【００４９】
図８は、本発明の一実施の形態に係る検索結果表示画面の一例を示す図である。本発明
の一実施の形態では、検索結果表示画面はユーザ端末２０１に表示されている。
【００５０】
図８では、まず利用者が入力した現行部品を特定するための検索条件に合致する品番、
すなわち現行部品検索部３０の検索結果である３件のデータが一覧表示されている。そし
て、品番欄８０１に表示されている品番欄からひとつをクリックすると、選択した品番に
対する推奨部品を参照することができるように構成されている（図３のステップＳ１７０）。
【００５１】
図９は、前画面である図８で、現行部品検索部３０の検索結果から品番ＡＡ１２を選択
したときに表示される画面であり、本発明の一実施の形態に係る検索結果表示画面の一例
を示す図である。この画面で、選択した品番に対する推奨部品を参照することができる。
【００５２】
すなわち、図８で表示されている現行部品検索部３０の検索結果から品番ＡＡ１２を選
択すると、品番ＡＡ１２の推奨部品である品番ａａａａ、ｂｂｂｂの２件のデータが表示
される。
【００５３】
尚、図８と図９をひとつの画面で構成し、検索条件に合致する複数の現行部品と、その
現行部品それぞれに対応する推奨部品をツリー状に表示するようにしてもよい。
【００５４】
また、図８で表示されている現行部品の品番のひとつをクリックすると、現行部品と推
奨品番の仕様を詳細に対比表示する画面が表示されるようにしてもよい。その場合、現行
部品と複数の推奨品番の仕様を１画面で並べて表示し、選定できるようにしてもよい。
【００５５】
また、登録されている比較項目ＤＢの内容に応じて、図９で表示される項目のレイアウ
トを変更するようにしてもよい。あるいは、検索結果表示画面に表示される項目の選択や
並び替えを、ユーザが行えるように画面を構成してもよい。
【００５６】
以上のように、現在使用している現行部品を特定する情報を入力するだけで、それらの
現行部品に対して置き換え可能な部品が検索され、その結果が表示されるという機能によ
って、現行部品に対する好ましい推奨部品を容易に知りえることが可能になる。
（実施の形態２）
続いて、本発明の実施の形態２に係るデータ検索装置について説明を行う。
【００５７】
上記実施の形態１では、推奨部品が正しく検索されるために、推奨部品検索部４０で使
用される検索条件すなわち比較項目情報については、あらかじめ管理者からの入力を比較
項目情報更新部１０で受け付けて比較項目ＤＢ１１に格納している。
【００５８】
しかし、検索結果として思うような推奨部品情報が得られなかった場合等、利用者側で
検索条件を変更して再検索したいという要望が想定される。但し、利用者側が勝手に検索
条件を変更した結果、代替品としてふさわしくない推奨部品情報が提供されることは防が
なくてはならない。
【００５９】
そこで、本発明の実施の形態２においては、推奨部品検索部で使用される検索条件すな
わち比較項目情報を、ある一定の制限下で利用者が変更できるようにすることを目的とす
る。
【００６０】
図１３は、本発明の実施の形態２におけるデータ検索装置の機能ブロック図である。本
発明の一実施の形態においては、図１３に示すように、サーバ１００において、比較項目
比較項目情報更新部１０、比較項目ＤＢ（データベース）１１、検索条件受付部２０、現
行部品ＤＢ（データベース）３１、推奨部品ＤＢ（データベース）４１、現行部品検索部
７１、有効比較項目情報受付部７３、推奨部品検索部７４、及び検索結果作成部７５を備
えている。
【００６１】
尚、上記実施の形態１の説明で用いた図１と同様の部分については同一の番号を付して
おり、記述を省略する。
【００６２】
検索条件受付部２０は、ユーザ端末２０１から送信される検索条件を受け付ける。
【００６３】
現行部品検索部７１では、検索条件受付部２０で受け付けた検索条件を用いて、現行部
品ＤＢ３１から検索条件に合致するデータを検索し、取得した検索結果を、推奨部品検索
部７４に引渡す。
【００６４】
有効比較項目情報受付部７３では、ユーザ端末２０１から有効比較項目情報を受け付け、
受け付けた情報を推奨部品検索部７４に引き渡す。
【００６５】
推奨部品検索部７４では、現行部品検索部７１の検索結果及び比較項目ＤＢ１１に格納
された比較項目情報とを用いて、推奨部品ＤＢ４１から条件に合致するデータを検索し、
検索結果を取得する。
【００６６】
また、推奨部品検索部７４では、有効比較項目情報受付部７３から有効比較項目情報が
引き渡された場合は、現行部品検索部７１から引き渡された現行部品検索部７１の検索結
果及び比較項目ＤＢ１１に格納された比較項目情報に加えて、有効比較項目情報受付部７
３で受け付けた有効比較項目情報を用いて、推奨部品ＤＢ４１から条件に合致するデータ
を検索し、検索結果を取得する。
【００６７】
検索結果作成部７５では、現行部品検索部７１から推奨部品検索部７４に引き渡された
現行部品検索部７１の検索結果及び推奨部品検索部７４の検索結果を用いて、検索結果表
示用のデータを作成する。
【００６８】
次に、本発明の実施の形態２におけるデータ検索装置における具体的な動作を、図１０
に従って説明する。
【００６９】
図１０は、本発明の実施の形態２におけるデータ検索装置の処理を示すフローチャート
である。尚、上記実施の形態１の説明で用いた図３と同様の部分については同一の番号を
付し、記述を省略する。
【００７０】
図１１は、本発明の実施の形態２における検索結果表示画面の一例を示す図である。
【００７１】
図１１は、現行部品検索部７１の検索結果である現行部品ＡＡ１２の推奨部品を表示し
ている（図１０のステップＳ１７０）。
【００７２】
この画面上には、条件変更ボタン１１ａが設けられており、条件変更ボタン１１ａをク
リックすると、現行部品ＡＡ１２の推奨部品を検索する際に用いた検索条件すなわち比較
項目情報を変更することができる。条件変更ボタン１１ａをクリックすると、比較項目変
更画面が表示される。
【００７３】
図１２は、本発明の実施の形態２における比較項目変更画面の一例を示す図である。こ
の画面上には、現行部品ＡＡ１２の推奨部品を検索する際に用いる検索条件すなわち比較
項目ＤＢ１１に格納されている比較項目情報が表示されている。ユーザは必要に応じて検
索条件を変更し、再度、推奨部品検索処理を指示することができる（図１０のステップＳ
１８０）。
【００７４】
特性項目欄１２ａは、比較項目を含む、項目名を表示する欄である。
【００７５】
特性値欄１２ｂは、特性項目欄１２ａに表示された各項目に対して、対象部品である現
行部品ＡＡ１２の特性値を表示する欄である。現行部品ＡＡ１２の特性値は現行部品ＤＢ
３１に格納されており、図４に示すような値等が表示される。
【００７６】
比較条件欄１２ｃには、当該行の特性項目欄１２ａに表示された各項目に対して、対象
部品である現行部品ＡＡ１２の推奨部品を検索する際に用いる比較項目情報を表示する欄
である。
前記比較項目情報は、比較項目ＤＢ１１に格納されており、図５に示されるように、「定
格電圧」に対して「＝」、「静電容量」に対して「＝」、「本体直径」に対して「＝」、「本体
長さ」に対して「＞＝」、「耐久性」に対して「＞＝」が表示される。
選択欄１２ｄは、当該行の比較条件を使用するか否かを選択することができる欄である。
初期表示された状態では、すべての選択欄にチェックが入っており、すべての比較条件が
有効であることを示している。
【００７７】
ここで、例えば耐久性が現行部品ＡＡ１２と「等しい、もしくは大きい」という比較条
件を使用せずに推奨部品検索を行いたい場合は、特性項目が「耐久性」である行の選択欄
のチェックをはずす。チェックのオン／オフは、該当行の選択欄１２ｄのチェックボック
スをクリックすることで切り替わる。
【００７８】
以上のようにして、表示されている比較条件を使用するか否かを選択することができる
が、図１２では、推奨部品の検索の際に必ず用いなければならない比較条件（例えば図１
２の「定格電圧」、「静電容量」及び「本体直径」に対する比較条件）については、選択欄
１２ｄのチェックボックスを設けないことで、比較条件の除外を許可しないようにしてい
る。
【００７９】
尚、図１２では比較項目に対して設定された比較条件自体は変更できないようにし、そ
の比較条件を推奨部品検索時に使用するか否かを選択欄１２ｄで選択できるようにしてい
るが、比較条件そのものを変更させるようにしてもかまわない。その際に、推奨部品の検
索の際に必ず用いなければならない検索条件については変更できないように画面制御を行
うことが望ましい。
【００８０】
また、図１２では品番ＡＡ１２に対して比較条件の選択ができるようになっているが、
比較項目ＤＢ１１において、品番を何らかのカテゴリでグルーピングした単位で比較項目
情報が設定されている際は、その単位毎に選択できるようにしてもよい。
【００８１】
使用しない比較条件の選択欄１２ｄのチェックをはずした後で特性比較ボタン１２ｅを
クリックすると、各比較条件に対してチェックが入っているかどうかという情報は、有効
比較項目情報としてサーバに送信される。
図１２では、「耐久性」についてチェックをはずした状態で、特性比較ボタン１２ｅをク
リックすると、その情報は、有効比較項目情報としてサーバに送信される（図１０のステ
ップＳ１８０）。
サーバ１００では有効比較項目情報受付部７３で、送信された比較項目情報を受信し（図
１０のステップＳ１９０）、推奨部品検索部７４で、現行部品検索部７１から引き渡された
現行部品検索部７１の検索結果及び比較項目ＤＢ１１に格納された比較項目情報に加えて、
有効比較項目情報受付部７３で受け付けた有効比較項目情報を用いて、推奨部品ＤＢ４１
から条件に合致するデータを検索し、検索結果を取得する（図１０のステップＳ２５０）。
【００８２】
具体的には、現行部品検索部７１の検索結果である品番ＡＡ１２について、比較項目Ｄ
Ｂ１１に格納された比較項目情報としては、「定格電圧」等５つの比較項目に対して、「＝」
や「＞＝」等という比較条件が設定されている。そして、有効比較項目情報受付部７３で
受け付けた有効比較項目情報では、現行部品検索部７１の検索結果である品番ＡＡ１２の
推奨部品検索時には、「耐久性」という比較項目に対して設定された比較条件は使用しない
ということが定義されている。
【００８３】
すなわち推奨部品検索部７１において、現行部品検索部７１で検索された品番ＡＡ１２
の推奨部品を検索する際は、推奨部品ＤＢ４１から、品番ＡＡ１２と「定格電圧」が「＝
（等しい）」、かつ「静電容量」が「＝（等しい）」、かつ「本体直径」が「＝（等しい）」、
かつ「本体長さ」は「＞＝（等しい、もしくは大きい）」という４つの条件を全部満たす部
品を抽出することになる。
図６の推奨部品ＤＢ４１のデータ構成の一例を示す図を用いて、推奨部品検索部７４の
検索結果を説明する。
品番ＡＡ１２に対して比較項目ＤＢ１１に格納されている元々の５つの条件に合致する
品番は、品番ａａａａ、ｂｂｂｂの２つであるが、本実施の形態２において、有効比較項
目情報受付部７３で受け付けた有効比較項目情報を用いた推奨部品検索を行うことにより、
品番ｃｃｃｃも推奨部品として画面に表示されることになる。
すなわち、比較項目ＤＢ１１に格納されている元々の５つの条件から、有効比較項目情
報受付部７３で受け付けた有効比較項目情報を用いて、「耐久性」という比較項目に対する
比較条件を除外した検索を行うと、品番ｃｃｃｃも推奨部品として画面に表示されること
になる。
検索結果作成部７５では現行部品検索部７１の検索結果及び推奨部品検索部７４の検索
結果を用いて、検索結果表示用のデータを作成する（図１０のステップＳ２６０）。
検索結果データはユーザ端末２０１に送信される（図１０のステップＳ２７０）。
以上のように、推奨部品検索部７４で使用される検索条件すなわち比較項目情報を、あ
る制限下で利用者が変更できるようにすることにより、推奨部品として満たさなくてはい
けない条件がいたずらに解除されることなく、より汎用的な推奨部品検索機能を実現する
ことが可能になる。
【産業上の利用可能性】
【００８４】
本発明にかかるデータ検索装置は、利用者が現在使用している製品を特定する情報を入
力すれば、代替可能な推奨品を容易に検索できるようになるという効果を有し、より好ま
しい推奨品を検索するデータ検索装置として有用である。
【図面の簡単な説明】
【００８５】
【図１】データ検索装置の機能ブロック図
【図２】データ検索装置のハードウェア構成図
【図３】データ検索装置の処理を示すフローチャート
【図４】現行部品ＤＢ（データベース）３１のデータ構成の一例を示す図
【図５】比較項目ＤＢ（データベース）１１のデータ構成の一例を示す図
【図６】推奨部品ＤＢ（データベース）４１のデータ構成の一例を示す図
【図７】検索条件指定画面の一例を示す図
【図８】検索結果表示画面の一例を示す図
【図９】検索結果表示画面の他の一例を示す図
【図１０】実施の形態２におけるデータ検索装置の処理を示すフローチャート
【図１１】実施の形態２における検索結果表示画面の一例を示す図
【図１２】実施の形態２における比較項目変更画面の一例を示す図
【図１３】実施の形態２におけるデータ検索装置の機能ブロック図
【符号の説明】
【００８６】
１０    比較項目情報更新部
１１    比較項目ＤＢ（データベース）
２０    検索条件受付部
３０    現行部品検索部
３１    現行部品ＤＢ（データベース）
４０    推奨部品検索部
４１    推奨部品ＤＢ（データベース）
５０    検索結果作成部
１００    サーバ
２０１    ユーザ端末
２０２    ユーザ端末
２０９    管理者端末
【図１】
2005174312.tif 000003
【図２】
2005174312.tif 000004
【図３】
2005174312.tif 000005
【図４】
2005174312.tif 000006
【図５】
2005174312.tif 000007
【図６】
2005174312.tif 000008
【図７】
2005174312.tif 000009
【図８】
2005174312.tif 000010
【図９】
2005174312.tif 000011
【図１０】
2005174312.tif 000012
【図１１】
2005174312.tif 000013
【図１２】
2005174312.tif 000014
【図１３】
2005174312.tif 000015